(57)【特許請求の範囲】
【請求項１】
リール本体に設けられ且つロータと一体的に回転する環状制動体と、リール本体に対して移動可能に設けられた操作部材と、この操作部材の移動操作によって環状制動体の制動面に制動力を付与することが可能な本体側制動部とを備え、前記本体側制動部が環状制動体の制動面に対向するように、リール本体に設けられている魚釣用スピニングリールにおいて、
前記本体側制動部は、環状制動体の径方向内側に配設されていることを特徴とする魚釣用スピニングリール。
【発明の詳細な説明】
【０００１】
【発明の属する技術分野】
本発明は、ロータ逆回転時にロータと共に一体的に回転する環状制動体に、操作部材を介して制動を掛けるロータ制動装置を備えた魚釣用スピニングリールに関する。
【０００２】
【従来の技術】
従来、この種のロータ制動装置は、例えば、実公平３−２８７７３号公報や特開平９−１４０３０３号公報に開示されているように、リール本体に、一方に操作部が形成され且つ他方に制動部が形成された操作部材を回動可能に支持しており、実釣時に操作部を移動操作（牽引操作）することによって、ロータと共に回転する環状制動体に制動を掛けることができるよう構成されている。
【０００３】
【発明が解決しようとする課題】
ところで、従来のロータ制動装置は、上記した公知技術に見られるように、リール本体の前方側に固定した挟着制動部を、ロータ後部内における環状制動体の外側に配置して構成されている。この場合、挟着制動部の配置スペースを確保する必要上、ロータ制動装置を径方向に大型化せざるを得ず、そのため、ロータ全体が大型化及び重量化してしまう。
【０００４】
また、ロータの大きさを一定に維持しようとすると、環状制動体の寸法を小さくする必要があるが、その分だけ制動力が弱くなってしまう。
【０００５】
本発明は、このような問題を解決するために成されており、その目的は、ロータを大型化及び重量化させること無く、充分な制動力を確保することが可能なロータ制動装置を備えた魚釣用スピニングリールを提供することにある。
【０００６】
【課題を解決するための手段】
このような目的を達成するために、本発明の魚釣用スピニングリールは、リール本体に設けられ且つロータと一体的に回転する環状制動体と、リール本体に対して移動可能に設けられた操作部材と、この操作部材の移動操作によって環状制動体の制動面に制動力を付与することが可能な本体側制動部とを備えており、前記本体側制動部を、環状制動体の制動面に対向するようにリール本体に設けると共に、環状制動体の径方向内側に配設したことを特徴としている。
【０００７】
上記した本体側制動部を、環状制動体の内側に配設したことにより、ロータ制動装置を径方向に小型化することが可能となり、これに伴って、ロータを必要以上に大型化する必要性がなくなる。
【０００８】
【発明の実施の形態】
以下、本発明の一実施の形態に係る魚釣用スピニングリールについて、添付図面を参照して説明する。
【０００９】
図１及び図２に示すように、本実施の形態の魚釣用スピニングリール１は、リール本体１ａと、リール本体１ａから延出する脚部１ｂと、脚部１ｂの端部に形成され且つ図示しない釣竿に取付可能な竿取付部１ｃとを有している。リール本体１ａ内には、ハンドル軸２が回転可能に支持されており、リール本体１ａから突出するハンドル軸２の端部には、図示しないハンドルが固定されている。
【００１０】
ハンドル軸２には、ドライブギヤ３が取り付けられており、ドライブギヤ３には、ハンドル軸２に対して直交する方向に延在し且つ軸受け１１を介して回転可能に支持されたピニオンギヤ１３が歯合している。ピニオンギヤ１３の先端には、ベール６及び釣糸案内装置１５を備えたロータ８が一体的に取り付けられている。また、ピニオンギヤ１３の内部には、ハンドル軸２と直交する方向に摺動可能に支持されたスプール軸９が挿通されており、スプール軸９の先端には、釣糸が巻回されるスプール１０が着脱可能に取り付けられている。また、ドライブギヤ３には、オシレーティング機構１９が係合しており、オシレーティング機構１９は、ハンドル軸２の回転に連動して、スプール軸９を軸方向に沿って往復動（前後動）させる。
【００１１】
このような構成において、ハンドルを回転操作すると、その回転運動は、ハンドル軸２及びドライブギヤ３を介してオシレーティング機構１９に伝達され、スプール軸９（スプール１０）を軸方向に沿って往復駆動させる。また、ハンドルの回転運動は、ドライブギヤ３を介してピニオンギヤ１３に伝達され、ロータ８を回転させる。この結果、スプール１０には、釣糸案内装置１５を介して釣糸が均等に巻回される。
【００１２】
また、リール本体１ａには、ロータ８の逆回転に制動力を付与するロータ制動装置と、ロータ８の逆回転を防止する逆転防止機構とが設けられている。これらの機構は、支軸７を介して脚部１ｂに回動可能に取付られた操作レバー（操作部材）５によって操作可能となっている。
【００１３】
操作レバー５の先端部には、指を引っ掛けることが可能な操作部５ａが形成されており、リール本体１ａ内に位置した操作レバー５の基端部には、ビス１２によって、ロータ８の円筒部の内部に延出する押圧プレート１４が取り付けられている。
【００１４】
押圧プレート１４の端部には、軸方向に延出している環状制動体１７の制動面１７ａと対向し、これを内側から上方に向けて押圧する操作部材側押圧部１４ａが設けられている。また、操作レバー５は、リール本体内に配設された引張ばね１６によって、図１に示すような位置状態に保持されるようになっている。
【００１５】
図１〜図４に示すように、ロータ８の逆回転に制動力を付与するロータ制動装置は、ころがり式一方向クラッチ２０を構成する外輪部２５に対して、後述するように、径方向（図３に示すような矢印Ｓ方向）に移動可能で且つ回り止め支持された環状支持体３１を備えている。また、上述した環状制動体１７は、環状支持体３１に対してビス３１ａによって固定されている。
【００１６】
前記環状制動体１７の径方向内側には、本体側制動部３２が配設されており、この本体側制動部３２は、その基端部がリール本体１ａにネジ止めされ、その先端部には、環状制動体１７の制動面１７ａが押圧される本体側押圧部３２ａが設けられている。なお、本体側制動部３２は、スプール軸９に対し、前記押圧プレート１４と略対向する位置に所定の範囲に亘って配設されている。
【００１７】
前記ころがり式一方向クラッチ２０は、ピニオンギヤ１３に対して回り止め嵌合された内輪２１と、内輪２１の外側に配された保持器２７と、保持器２７の外側に配された外輪部２５とを有しており、外輪部２５には、上述したように、環状支持体３１が径方向に移動可能で且つ回り止め支持されている。
【００１８】
前記外輪２５の内周面には、保持器２７によって保持された複数の転動部材２８がフリーに回転できるフリー回転領域と、複数の転動部材の回転を阻止する楔領域とが形成されており、各転動部材は、保持器２７に設けられたバネ部材によって楔領域方向に付勢されている。
【００１９】
このような構成の一方向クラッチ２０において、ピニオンギヤ１３と共に内輪２１が正回転（ロータ８が釣糸巻取り方向に回転）すると、保持器２７の転動部材２８が外輪２５のフリー回転領域に位置する。このとき、内輪２１の回転力は外輪部２５に伝達されることはない。これに対して、ピニオンギヤ１３と共に内輪２１が逆回転（ロータ８が釣糸繰出し方向に回転）すると、保持器２７の転動部材が外輪２５の楔領域に位置する。このとき、内輪２１の回転力は外輪部２５に伝達される。
【００２０】
外輪部２５の外周部分には、周方向に沿って所定間隔で複数の突出部２５ａが径方向外側に向けて形成されている。一方、環状支持体３１の内周面には、径方向内側に向けて所定間隔で複数の延出部３１ｂが形成されている。そして、これら延出部３１ｂと外輪部２５の突出部２５ａとは、互いに遊度をもって状態で嵌合しており、これによって、環状支持体３１は、矢印Ｓ方向に移動可能であると共に、外輪部２５に対して回り止め状態となっている。
【００２１】
一方向クラッチ２０を介したピニオンギヤ１３と環状支持体３１との間の上記した連結構成によれば、環状支持体３１及びこの環状支持体３１に回り止めされた環状制動体１７は、ピニオンギヤ１３が逆回転（ロータ８が釣糸繰出し方向に回転）したときに、一方向クラッチ２０を介してピニオンギヤ１３に直結し、ロータ８と共に一体的に回転する。
【００２２】
なお、前記環状支持体３１の周縁部には、その周方向に沿って所定間隔で複数の係合部４０が突出形成されており、これら係合部４０には、夫々、テーパ面４０ａとストッパ面４０ｂとが形成されている。テーパ面４０ａは、ロータ８が逆回転した際に後述する係合爪４３ａを係合部４０間の隙間に案内するようになっており、ストッパ面４０ｂは、係合部４０間の隙間に位置した係合爪４３ａに当接するようになっている。
【００２３】
一方、ロータ８には、上記係合部４０に対向した位置に、回動部材４３がピン４２を介して回動自在に支持されており、この回動部材４３の一端には、係合部４０間の隙間に係合可能な係合爪４３ａが屈曲形成されている。また、ロータ８には、環状支持体３１側に向けて、回動部材４３の各方向への回動を規制する２つのボス（図示せず）が突出形成されており、回動部材４３には、外輪部２５に抱き付くように巻回保持されたリーフスプリング４５の端部が固定されている。
【００２４】
また、リール本体内には、ロータ８の逆回転を防止する逆転防止機構が設けられており、この逆転防止機構は、操作レバー５の基端部、若しくは押圧プレート１４に突出形成された作動体５０と、支軸５２に回動可能に支持され且つ作動体５０によって回動される制御カム５４と、リール本体１ａのフレーム１ｆ（図２参照）に対して移動可能に保持され且つ制御カム５４の回動によって環状制動体１７に向けて移動する係止爪５６（図２参照）と、環状制動体１７の内周縁に形成され且つ係止爪５６と噛み合う複数の係止溝１７ｂ（図２参照）とを備えて構成されている。
【００２５】
特に参照符号は付さないが、制御カム５４には、作動体５０に当接する第１及び第２の当接部と、係止爪５６に当接する第３の当接部とが形成されている。なお、制御カム５４は、振り分けバネ５８によって回動方向に付勢され、係止爪５６は、バネによって環状制動体１７の係止溝１７ｂと噛み合う方向に付勢されている。
【００２６】
ここで逆転防止機構の作用について説明する（逆転防止機構は、操作レバーをＤ方向に押し下げたときに機能する）。
【００２７】
まず、操作レバー５が、図１に示す初期位置にあるとき、振り分けバネ５８の付勢力（制御カム５４に対しこれを図中反時計回りに回動させる方向に作用する付勢力）によって、制御カム５４の第１の当接部が作動体５０に当接すると共に、係止爪５６はバネの付勢力に抗して環状制動体１７から離間した状態に維持される。
【００２８】
この状態で、操作レバー５をＤ方向に押し下げ操作すると、作動体５０が振り分けバネ５８の付勢力に抗して制御カム５４を図中時計回りに回動させる。このとき、振り分けバネ５８は、制御カム５４の回動に伴って揺動するが、そのデッドポイントを超えた時点で制御カム５４に対し、これを時計回りに回動させる方向で付勢力を付与するようになる。従って、その後、制御カム５４は、作動体５０によらず、振り分けバネ５８の付勢力によって時計回りに回動する。これにより、第１の当接部が作動体５０から離間すると共に、制御カム５４の第３の当接部から係止爪５６が外れ、バネの付勢力によって環状制動体１７方向に移動してその係止溝１７ｂに噛み合う。そして、第２の当接部が作動体５０に当接したときに、制御カム５４の回動が停止する。このとき、ロータ８は逆転防止状態に維持される。
【００２９】
次に、上述したロータ制動装置の作用について説明する（ロータ制動装置は、操作レバーをＵ方向に押し上げたときに機能する）。
【００３０】
まず、操作レバー５が、図１に示す初期位置にあるとき、ロータ８は逆回転可能状態（釣糸繰出し可能状態）に維持される。この状態において、ハンドルを操作して釣糸巻取り動作（ロータ８を正回転させる動作）を行うと、ロータ８と共に正回転する回動部材４３は、リーフスプリング４５の作用によって逆回転方向に力を受け、ピン４２を中心に回動する。このとき、回動部材４３の係合爪４３ａは、環状支持体３１の係合部４０から離間するように回動する（図４（ｂ）参照）。この状態では、回動部材４３は、ロータ８と共にフリーに回転可能となっており、このとき、操作レバー５をＵ方向に押し上げ操作しても、ロータ８に対して制動を利かせることはできない。
【００３１】
次に、操作レバー５が初期位置にある状態で、釣糸が繰出される（魚の引き等によりロータ８が逆回転される）と、上述した一方向クラッチ２０の作用によって、環状支持体３１及びこの環状支持体３１にネジ止めされた環状制動体１７はロータ８と共に逆回転する。これに伴って、回動部材４３の係合爪４３ａは、係合部４０間の隙間に入り込むようになり、ストッパ面４０ｂに当接する（図４（ａ）参照）。この状態において、操作レバー５をＵ方向に押し上げ操作すると、図２の初期位置にあった押圧プレート１４の操作部材側押圧部１４ａが環状制動体１７の制動面１７ａに当接し、この制動面１７ａに押圧力を作用させる。
【００３２】
上記したように、環状支持体３１は外輪部２５に対して径方向に移動可能になっているため、環状制動体１７に作用する押圧力によって、環状支持体３１は、図３に示すように矢印Ｓ方向に移動する。これに伴い、リール本体１ａにネジ止めされた本体側制動部３２の本体側押圧部３２ａに対し、環状制動体１７の制動面１７ａが押圧される。
【００３３】
このとき、環状制動体１７は、その内側面、即ち制動面１７ａが２つの押圧部（操作部材側押圧部１４ａ、本体側押圧部３２ａ）によって、夫々外向きに押圧されることになる。このときの外向き押圧力は、操作レバー５の押し上げ操作力に比例して増減変更することが可能となり、その結果、環状制動体１７には、操作レバー５の操作力に応じた制動力を作用させることが可能となる。
【００３４】
具体的に説明すると、操作レバー５は、引張ばね１６によって、常時、図１に示すような初期状態に復帰するように付勢保持されている。このため、上述したように操作レバー５の押し上げ操作の際、押し上げ操作力を緩めると、その緩めた分だけ引張ばね１６のばね力が操作レバー５に作用し、この操作レバー５を初期状状態に復帰させようとする。従って、操作レバー５の操作力を増したり緩めたりする微妙な操作を行うと、それに応じた押圧力（即ち、制動力）を環状制動体１７に作用させることができる。
【００３５】
この場合、上記したロータ制動装置によれば、環状制動体１７の制動面１７ａを押圧する２つの押圧部のうち、一方の押圧部（本体側押圧部３２ａ）をリール本体１ａに固定する構成を採用したことによって、環状制動体１７をガタ付かせること無く安定させた状態で、その制動面１７ａに対して押圧力（制動力）を作用させることが可能となる。この結果、操作レバー５の押し上げ操作力をロス無く且つ安定して環状制動体１７に作用させることができる。
【００３６】
しかも、本体側制動部３２は、環状制動体１７の径方向内側に配設したことから、２つの押圧部（操作部材側押圧部１４ａ、本体側押圧部３２ａ）を共に環状制動体１７の径方向内側に収容配置する構成にできるため、ロータ制動装置の小型化を図ることが可能となる。
【００３７】
そして、これらの効果が相互に組み合わされることによって、ロータ８を大型化及び重量化させること無く、充分な制動力を確保することが可能なロータ制動装置を備えた魚釣用スピニングリール１を提供することができる。
【００３８】
なお、環状制動体１７は、上記のように一方向クラッチを介してロータの逆回転時に一体回転するように構成しても良いし、又、正逆転共に一体回転するように構成しても良い。また、上記した構成では、環状制動体１７は、多少揺動可能となるように、支持しておくことが好ましい。
【００３９】
以上、説明した構成の魚釣用スピニングリールには、スプール１０に、以下のような糸止め機構６５が設けられている。
【００４０】
図５（ａ）〜（ｄ）は、スプール１０に設けられた糸止め機構を拡大して示す図である。これらの図に示すように、糸止め機構は、細径の釣糸７１と太径の釣糸７３の双方を選択的にスプール１０に止めることが可能に構成されている。
【００４１】
具体的には、この糸止め機構６５は、図５（ａ）,（ｂ）に示すように、スプール１０の外周面に装着される糸止め部材７０と、スプール１０の外周面に形成された細径釣糸用溝７２と、太径釣糸用溝７４とを有しており、太径釣糸用溝７４に対面した糸止め部材７０には、太径釣糸用切欠部７０ａが形成されている。そして、糸止め部材７０は、その先端側が弾性変形可能に構成されており、その基端側がスプール１０に対して嵌入等によって取着されている。
【００４２】
このような構成において、細径の釣糸７１を止める場合には、図５（ｃ）に示すように、細径釣糸用溝７２に釣糸７１を導入することで、釣糸７１は、糸止め部材７０と細径釣糸用溝７２との間に挟まれた状態でスプール１０に止めることができる。また、太径の釣糸７３を止める場合には、図５（ｄ）に示すように、太径釣糸用溝７４に釣糸７３を導入することで、釣糸７３は、糸止め部材７０の太径釣糸用切欠部７０ａと太径釣糸用溝７４との間に挟まれた状態でスプール１０に止めることができる。
【００４３】
このような糸止め機構によれば、細径〜太径までの釣糸を無理なく糸止めすることができると共に、太径の釣糸７３を止める箇所を専用に設けたことで、糸止め部材７０が過度に変形しなくなり、耐久性を向上させることができる。
【００４４】
【発明の効果】
本発明によれば、ロータを大型化及び重量化させること無く、充分な制動力を確保することが可能なロータ制動装置を備えた魚釣用スピニングリールを提供することができる。
【図面の簡単な説明】
【図１】本発明の一実施の形態に係る魚釣用スピニングリールの外観構成を示す図。
【図２】本発明に採用したロータ制動装置の構成を拡大して示す断面図であって、非制動状態を示す図。
【図３】本発明に採用したロータ制動装置の構成を拡大して示す断面図であって、制動状態を示す図。
【図４】（ａ）は、ロータ逆転時における図２のＡ−Ａ線に沿う断面図、（ｂ）は、ロータ正転時における図２のＡ−Ａ線に沿う断面図。
【図５】スプールに設けられる糸止め機構の構成を示す図であって、（ａ）は、その断面図、（ｂ）は、その平面図、（ｃ）は、細径の釣糸がスプールに止められた状態を示す断面図、（ｄ）は、太径の釣糸がスプールに止められた状態を示す断面図。
【符号の説明】
１ａ  リール本体
５  操作レバー
８  ロータ
１７  環状制動体
１７ａ  制動面
３２  本体側制動部
【図１】
0003894533.tif 000002
【図２】
0003894533.tif 000003
【図３】
0003894533.tif 000004
【図４】
0003894533.tif 000005
【図５】
0003894533.tif 000006